【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
ネットワークに接続され外部の装置と通信を行う画像処理装置であって、
装置内部に記憶されたデータの更新に関する情報を収集する更新情報収集手段と、
前記更新情報収集手段により収集した更新情報をマークアップ言語によって記述したシンジケーションデータを生成して保存するシンジケーションデータ生成手段と、
前記シンジケーションデータを、前記外部装置からの要求に応じて提供するシンジケーションデータ提供手段と
を備えることを特徴とする画像処理装置。
【請求項２】
前記更新情報収集手段は、前記データの追加、変更あるいは削除に関する更新情報を収集することを特徴とする請求項１に記載の画像処理装置。
【請求項３】
画像処理装置の機能を用いて実現可能な複数のサービスのうちユーザに提供するサービスを増減するサービス管理手段をさらに備え、
前記更新情報収集手段は、前記サービス管理手段により提供するサービスの変化に関する情報を収集することを特徴とする請求項１又は２に記載の画像処理装置。
【請求項４】
画像処理の処理対象として利用可能な文書データを蓄積記憶する文書記憶手段をさらに備え、
前記更新情報収集手段は、蓄積文書データの追加、削除、編集、受信、送信または蓄積方法の変更のいずれかに関する情報を収集することを特徴とする請求項１又は２に記載の画像処理装置。
【請求項５】
文書の送受信処理に関連するアドレスデータを蓄積記憶するアドレス帳手段をさらに備え、
前記更新情報収集手段は、蓄積されたアドレスデータの追加、削除、編集または蓄積方法の変更のいずれかに関する情報を収集することを特徴とする請求項１又は２に記載の画像処理装置。
【請求項６】
前記シンジケーションデータのマークアップ言語による記述形式は、ＸＭＬに基づくことを特徴とする請求項１又は２に記載の画像処理装置。
【請求項７】
前記ＸＭＬに基づく記述形式は、Ｗｅｂ資源のニュースを供給するために用いられるＲＳＳまたはＡｔｏｍなどのシンジケーション形式であることを特徴とする請求項６に記載の画像処理装置。
【請求項８】
更新の対象または更新の種別に応じて収集するべき前記更新情報を選択する収集情報選択手段をさらに備え、
前記更新情報収集手段は、収集情報選択手段による選択に基づいて選択的に更新情報を収集することを特徴とする請求項１又は２に記載の画像処理装置。
【請求項９】
更新情報を前記シンジケーションデータに含めるべき期間を更新の対象または更新の種別に応じて設定する更新情報シンジケーション期間設定手段をさらに備え、
前記シンジケーションデータ生成手段は更新情報シンジケーション期間設定手段によって設定された期間に基づいて各更新情報を前記シンジケーションデータに含めることを特徴とする請求項１又は２に記載の画像処理装置。
【請求項１０】
前記シンジケーションデータの雛形データと生成ルールを記述したデータとを含むテンプレートデータを蓄積するシンジケーションデータテンプレート記憶手段をさらに備え、
前記シンジケーションデータ生成手段は前記テンプレートデータに基づいてシンジケーションデータを生成することを特徴とする請求項１又は２に記載の画像処理装置。
【請求項１１】
前記テンプレートデータは、画像処理装置の構成または設定または状態に関する属性と置き換えられる変数を含むことを特徴とする請求項１０に記載の画像処理装置。
【請求項１２】
複数の前記テンプレートデータから前記シンジケーションデータ生成手段によるシンジケーションデータの生成に用いる前記テンプレートデータを選択するテンプレート選択手段をさらに備えることを特徴とする請求項１０に記載の画像処理装置。
【請求項１３】
前記サービス管理手段は、アプリケーションプログラムとしてインストールまたはアンインストールすることによって装置のサービスを増減し、
前記更新情報収集手段は、前記アプリケーションのインストール状態の変化を更新情報として収集することを特徴とする請求項３に記載の画像処理装置。
【請求項１４】
前記サービス管理手段は、装置に組み込まれたサービスの利用を制御するライセンスデータをインストールまたはアンインストールすることによって装置のサービスを増減し、
前記更新情報収集手段は、前記ライセンスのインストール状態の変化を更新情報として収集することを特徴とする請求項３に記載の画像処理装置。
【請求項１５】
前記更新情報収集手段は、サービスの利用を制御するラインセンス条件に関連する装置の状態が変化したときに、該状態を示す情報を更新情報として収集することを特徴とする請求項１又は２に記載の画像処理装置。
【請求項１６】
前記ラインセンス条件に関連する装置の状態は、装置の動作に伴って積算されるカウンタ、または装置のソフトウェアが時間や時刻を取得するためのシステムタイマのいずれかに基づく状態であることを特徴とする請求項１５に記載の画像処理装置。
【請求項１７】
前記更新情報収集手段は、さらに装置の利用に伴い変化する統計情報に基づく更新情報も生成する請求項１又は２に記載の画像処理装置。
【請求項１８】
前記シンジケーションデータ生成手段は、前記更新情報に関連する文書のサムネール画像への参照を前記シンジケーションデータに含めることを特徴とする請求項１又は２に記載の画像処理装置。
【請求項１９】
前記更新情報に関連する文書のサムネール画像への参照を前記シンジケーションデータに含む間は、当該文書の実体が削除された後も当該文書のサムネール画像データを保持することを特徴とする請求項１８に記載の画像処理装置。
【請求項２０】
前記シンジケーションデータ提供手段は、ＨＴＴＰによる通信を介して前記シンジケーションデータを提供することを特徴とする請求項１又は２に記載の画像処理装置。
【請求項２１】
ユーザが装置を操作するための操作部に設定されたメッセージを表示するメッセージ掲示板手段をさらに備え、
前記更新情報収集手段は、前記設定されたメッセージの更新に関する情報を収集することを特徴とする請求項１又は２に記載の画像処理装置。
【請求項２２】
ネットワーク上の外部装置と通信可能なネットワーク装置であって、
前記ネットワーク装置に記憶されたデータが更新されたことを示す更新情報を収集する更新情報収集手段と、
前記更新情報収集手段により収集した更新情報を、前記外部装置により再生可能な形式で記述したデータを生成する生成手段と、
前記生成手段により生成したデータを保存する保存手段と、
前記保存手段により保存されているデータを、前記外部装置からの要求に応じて送信するデータ送信手段と
を備えることを特徴とするネットワーク装置。
【請求項２３】
ネットワークに接続され外部の装置と通信を行う画像処理装置に内蔵されたコンピュータにより実行可能なプログラムであって、
装置内部に記憶されたデータの更新に関する情報を収集する更新情報収集手段と、
前記更新情報収集手段により収集した更新情報をマークアップ言語によって記述したシンジケーションデータを生成して保存する生成手段と、
前記シンジケーションデータを、前記外部装置からの要求に応じて提供するシンジケーションデータ提供手段と
を前記コンピュータにより実現することを特徴とするプログラム。
【請求項２４】
ネットワーク上の外部装置と通信可能なネットワーク装置に内蔵されたコンピュータにより実行可能なプログラムであって、
前記ネットワーク装置に記憶されたデータが更新されたことを示す更新情報を収集する更新情報収集手段と、
前記更新情報収集手段により収集した更新情報を、前記外部装置により再生可能な形式で記述したデータを生成する生成手段と、
前記生成手段により生成したデータを保存する保存手段と、
前記保存手段により保存されているデータを、前記外部装置からの要求に応じて送信するデータ送信手段と
を前記コンピュータにより実現することを特徴とするプログラム。
【請求項２５】
ネットワークに接続され外部の装置と通信を行う画像処理装置を制御するための制御方法であって、
前記画像処理装置の更新情報収集手段が、装置内部に記憶されたデータの更新に関する情報を収集する更新情報収集工程と、
前記画像処理装置の生成手段が、前記更新情報収集工程により収集した更新情報をマークアップ言語によって記述したシンジケーションデータを生成して保存する生成工程と、
前記画像処理装置のシンジケーションデータ提供手段が、前記シンジケーションデータを、前記外部装置からの要求に応じて提供するシンジケーションデータ提供工程と
を有することを特徴とする方法。
【請求項２６】
ネットワーク上の外部装置と通信可能なネットワーク装置を制御するための制御方法であって、
前記画像処理装置の更新情報収集手段が、前記ネットワーク装置に記憶されたデータが更新されたことを示す更新情報を収集する更新情報収集工程と、
前記画像処理装置の生成手段が、前記更新情報収集工程により収集した更新情報を、前記外部装置により再生可能な形式で記述したデータを生成する生成工程と、
前記画像処理装置の保存手段が、前記生成工程により生成したデータを保存する保存工程と、
前記画像処理装置のデータ送信手段が、前記保存手段により保存されているデータを、前記外部装置からの要求に応じて送信するデータ送信工程と
を有することを特徴とする方法。
【請求項２７】
印刷部または画像読取部を有する画像処理装置であって、
更新データを収集する収集手段と、
収集された更新データを加工する加工手段と
前記加工手段により加工された前記更新データを複数の項目を含むマークアップ言語表記のフォーマットで出力する出力手段と
を有することを特徴とする画像処理装置。
【手続補正２】
【補正対象書類名】明細書
【補正対象項目名】０００７
【補正方法】変更
【補正の内容】
【０００７】
特許文献１には、プリンタに読み込まれるフォントの来歴情報をＸＭＬ形式で取得可能な画像処理装置が開示されている。
【非特許文献１】Dan Brickley他１０名、"RDF Site Summary (RSS) 1.0"、［ｏｎｌｉｎｅ］２００１年５月３０日、RSS-DEV Working Group、［２００５年３月１７日検索］、インターネット＜ＵＲＬ：http://purl.org/rss/1.0/spec＞
【非特許文献２】M. Nottingham, R. Sayer編、"The Atom Syndication Format draft-ietf-atompub-format-03"、［ｏｎｌｉｎｅ］２００４年１０月２０日、RSS-DEV Working Group、［２００５年３月１７日検索］、インターネット＜ＵＲＬ：http://atompub.org/2004/10/20/draft-ietf-atompub-format-03.html＞
【特許文献１】特開２００４−２５４５５号公報
【手続補正３】
【補正対象書類名】明細書
【補正対象項目名】００１５
【補正方法】削除
【補正の内容】